【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
第１の成分が、多孔質隔壁を通り掃引成分流中に第１の成分を拡散させることにより、成分の混合物を含む供給流から分離されるガス分離方法と、および
掃引成分が供給原料として使用される調製方法と
を含む統合された分離および調製方法。
【請求項２】
多孔質隔壁の両側の圧力が、基本的に等しい、請求項１に記載の方法。
【請求項３】
ａ）多孔質隔壁を通り掃引成分流中に第１の成分を拡散させることにより、成分の混合物から第１の成分をガス分離して、第１の成分と掃引成分の混合物を得るステップと、
ｂ）ステップａ）において得られた第１の成分と掃引成分の混合物を、場合によって分離して第１の成分および掃引成分にするステップと、
ｃ）第１の成分を、場合によっては掃引成分と混合して反応への供給原料として使用するステップと、
ｄ）１つ以上のステップにおいて掃引成分を反応させて生成物を得るステップと
を含む、請求項１または請求項２に記載の方法。
【請求項４】
ステップｂ）において、第１の成分と掃引成分を分離せず、
ステップｃ）において、第１の成分と掃引成分の混合物を、反応への供給原料として使用し、および
ステップｄ）において、第１の成分と掃引成分を相互に反応させる、
請求項３に記載の方法。
【請求項５】
第１の成分が水であり、掃引成分がアルケンであり；ならびに第１の成分と掃引成分を水和反応において相互に反応させてアルカノールを調製する、請求項４に記載の方法。
【請求項６】
アルケンが、プロペンまたは２−ブテンであり、およびアルカノールが、それぞれ、イソプロパノールまたは第２級ブタノールである、請求項５に記載の方法。
【請求項７】
第１の成分が水素であり、掃引成分がケトンであり；ならびに第１の成分と掃引成分を水素化反応において相互に反応させてアルカノールを調製する、請求項４に記載の方法。
【請求項８】
ケトンが、ジメチルケトンまたはメチルエチルケトンであり、およびアルカノールが、それぞれ、イソプロパノールまたは第２級ブタノールである、請求項７に記載の方法。
【請求項９】
第１の成分が水素であり、掃引成分がアルケンまたは芳香族化合物であり；ならびに第１の成分と掃引成分を相互に反応させてアルカンを調製する、請求項４に記載の方法。
【請求項１０】
ステップｂ）において、第１の成分と掃引成分を分離し、
ステップｃ）において、分離した掃引成分を、第１の反応における供給原料として使用し、ならびに分離した第１の成分を、第２の反応における供給原料として使用し、および
ステップｄ）において、分離した掃引成分を、１つ以上のステップにおいて反応させて生成物とする、
請求項３に記載の方法。
【請求項１１】
ステップｄ）において分離した掃引成分を、１つ以上のステップにおいて１つ以上の他の成分と反応させて中間生成物とし、および
中間生成物を、１つ以上のステップにおいて分離した第１の成分と反応させて次の生成物とする、請求項１０に記載の方法。
【請求項１２】
ａ）多孔質隔壁を通り二酸化炭素流中に水を拡散させることにより水とアルキレングリコールの混合物から水をガス分離して、水と二酸化炭素の混合物を得るステップと、
ｂ）水と二酸化炭素を分離するステップと、
ｃ）第１の反応器において、分離した二酸化炭素を供給原料として使用し、および第２の反応器において、分離した水を供給原料として使用するステップと、
ｄ）第１の反応において、分離した二酸化炭素を酸化アルキレンと反応させて炭酸アルキレンを調製し、および第２の反応において、炭酸アルキレンを分離した水と反応させてアルキレングリコールを調製するステップと
を含む、請求項１１に記載の方法。
【請求項１３】
ステップｄ）における炭酸アルキレンを過剰の水と反応させてアルキレングリコールと水の混合物を調製し、およびアルキレングリコールと水の混合物をステップａ）に再循環させる、請求項１２に記載の方法。
【請求項１４】
ステップｂ）において、第１の成分と掃引成分を分離し、
ステップｃ）において、分離した掃引成分を反応への供給原料として使用し、および
ステップｄ）において、分離した掃引成分を脱水素反応において反応させる、
請求項３に記載の方法。
【請求項１５】
ａ）多孔質隔壁を通りアルカノール流中に水素を拡散させることにより水素とケトンの混合物から水素をガス分離して、水素とアルカノールの混合物を得るステップと、
ｂ）水素とアルカノールの混合物を水素およびアルカノールに分離するステップと、
ｃ）反応において、分離したアルカノールを供給原料として使用するステップと、
ｄ）脱水素において、分離したアルカノールを反応させて、水素とケトンの混合物を得るステップと
を含む、請求項１４に記載の方法。
【請求項１６】
水素とケトンの混合物をステップａ）に再循環する、請求項１５に記載の方法。
【請求項１７】
アルカノールが、イソプロパノールまたは第２級ブタノールであり、およびケトンが、それぞれジメチルケトンまたはメチルエチルケトンである、請求項１５に記載の方法。
【請求項１８】
容器の一側面に隣接して位置する第１の流体入口開口部および容器の反対側面に隣接して位置する第１の流体出口開口部；容器の一側面に隣接して位置する第２の流体入口開口部および容器の反対側面に隣接して位置する第２の流体出口開口部とを備える容器を備え、第１ならびに第２の入口および出口がそれぞれ、第１の入口において容器に入り、第１の出口において容器を出る第１の流体流の流れ方向と、第２の入口において容器に入り、第２の出口において容器を出る第２の流体流の流れ方向とが、相互に基本的に垂直であるように位置し；ならびに２つの流体間の多孔質隔壁が、第１の流体流に対してシールされ、第２の流体流に対して流体連結され、それにより、多孔質材料の上部プレートと下部プレートにより少なくとも部分的に画定され、多孔質材料の上部プレートと下部プレートの間に少なくとも部分的に位置する第１流のための外部流動空間と、上部プレートと下部プレートの反対側面により少なくとも部分的に画定され、上部プレートと下部プレートの反対側面の間に少なくとも部分的に位置する第２流のための内部流動空間とを形成して外部流動空間からの流体の流れが内部流動空間内に入るのを防止するプレート状構造体の積層体を備える、多孔質隔壁を通り掃引成分流中に第１の成分を拡散させることにより、成分の混合物から第１の成分をガス分離するのに適した２つ以上の分離ユニットを備える、請求項１におけるガス分離方法を実行するための分離装置。
【請求項１９】
実質的に垂直に延在する容器と、
管の上端部が、上部管板に固定され、および上部管板の上方の頂部流体室と流体連結し、ならびに下端部が、下部管板に固定され、および下部管板の下方の底部流体室と流体連結している、中心縦軸に平行に容器内に配置された、多孔質隔壁を通り掃引成分流中に第１の成分を拡散させることにより、成分の混合物から第１の成分をガス分離するのに適した多孔質壁を備える複数の管と、
第１の流体を頂部流体室に供給するための供給手段と、
底部流体室内に配置された流出出口と、
上部管板、下部管板、管の外部表面および容器壁との間の空間に第２の流体を供給するための供給手段と、および
管の外部表面と容器壁の間のかかる空間からの流出出口と
を備える、請求項１におけるガス分離方法を実行するための多管式分離装置。
【請求項２０】
多孔質隔壁のそれぞれの側面における圧力を基本的に等しく維持するための圧力バランス用の手段をさらに備える、請求項１８から１９のいずれか一項に記載の分離装置。
【請求項２１】
多孔質隔壁を通り掃引成分流中に第１の成分を拡散させることにより成分の混合物から第１の成分をガス分離するのに適した１つ以上の分離ユニットを備え、１つ以上の第１室、第１室もしくは第１室群から多孔質隔壁により分離された１つ以上の第２室、１つ以上の入口および１つ以上の出口とを備える分離装置、
１つ以上の入口および１つ以上の出口とを備え、１つ以上の分離ユニットの出口が、１つ以上の反応器の１つ以上の入口に直接または間接に連結されている１つ以上の反応器
を備える、請求項１の方法を実行するための工業用装置。
【請求項２２】
分離装置が、
外管、
多孔質壁を備え、および第１の空間が内管内に存在し、ならびに第２の空間が内管の外表面と外管の内表面の間に存在するように外管内に配置された内管、
流体を第１の空間中に輸送するための第１の入口、
流体を第１の空間から排出するための第１の出口、
流体を第２の空間中に輸送するための第２の入口、および
流体を第２の空間から排出するための第２の出口
を備え、多孔質隔壁を通り掃引成分流中に第１の成分を拡散させることにより成分の混合物から第１の成分を分離するのに適した分離ユニット
を備える、請求項２１に記載の工業用装置。
【請求項２３】
分離装置が、多孔質隔壁を通り掃引成分流中に第１の成分を拡散させることにより、成分の混合物から第１の成分をガス分離するのに適した２つ以上の分離ユニットを備え、
分離ユニットがそれぞれ、
第１室、
多孔質隔壁により第１室から隔離されている第２室、
成分の混合物を第１室に輸送するための第１の入口、
第１の成分の少なくとも一部分が第１室から除去された後、成分の混合物の残余を排出するための第１の出口、
掃引成分を第２室中に輸送するための第２の入口、
掃引成分と拡散した第１の成分の混合物を第２室から排出するための第２の出口
を備えることができる、請求項２１に記載の工業用装置。